(57)【要約】【課題】複数の分析装置に対する分析条件ファイルの共有を面倒な手間を掛けずに行う。【解決手段】パソコン１００からネットワーク３００を介し要求があると、ＬＣ装置２０１のコントローラ１では、全体分析条件ファイル情報収集部１４が当該装置におけるファイル属性情報を収集する一方、他のＬＣ装置２０２〜２０４にそれぞれ保存されている分析条件ファイルの属性情報を収集する。表示データ作成部１７はこれらファイル属性情報について、ＬＣ装置の構成が同一であるか否かを区別して一覧表を作成する。この一覧表の情報はネットワーク３００を介してパソコン１００へと送信されて画面上に表示される。オペレータが所望の分析条件ファイルの選択及びコピー指示を行うと、個別分析条件ファイル情報管理部１５は、対応するＬＣ装置からそのファイルを読み出して複製を保存部１６に格納する。【選択図】  図２
2004271283.tif 000002
【特許請求の範囲】
【請求項１】
ネットワークを介して１乃至複数の他の分析装置と相互にデータ通信可能に接続された分析装置において、
ａ）当該分析装置で分析を遂行するための分析条件を情報として含む分析条件ファイルが保存される保存手段と、
ｂ）該保存手段に保存されている分析条件ファイルに関するファイル属性情報を取得するとともに、前記ネットワークを介して他の分析装置内に保存されている分析条件ファイルに関するファイル属性情報を収集する情報収集手段と、
ｃ）該情報収集手段により収集されたファイル属性情報を統合して所定形式で表示可能に構成する情報統合手段と、
ｄ）該情報統合手段により統合されたファイル属性情報を表示する表示手段と、
ｅ）該表示手段による表示に対応して指示された分析条件ファイルについて、該ファイルが保存されている他の分析装置から前記ネットワークを介して該ファイルを構成するデータを取得し、前記保存手段に複製する複製手段と、
を備えることを特徴とする分析装置。
【請求項２】
複数台の分析装置と少なくとも１台のクライアント端末とがそれぞれネットワークに接続された分析システムにおいて、
前記複数台の分析装置のうちの少なくとも１台の分析装置は、
ａ）当該分析装置で分析を遂行するための分析条件を情報として含む分析条件ファイルが保存される保存手段と、
ｂ）該保存手段に保存されている分析条件ファイルに関するファイル属性情報を取得するとともに、前記ネットワークを介して他の分析装置内に保存されている分析条件ファイルに関するファイル属性情報を収集する情報収集手段と、
ｃ）該情報収集手段により収集されたファイル属性情報を統合して前記クライアント端末の表示画面上に表示可能に構成する情報統合手段と、
ｄ）該情報統合手段により統合されたファイル属性情報を前記ネットワークを介して前記クライアント端末へと送信するとともに、該クライアント端末の表示画面上の表示に対応した分析条件ファイルの選択指示を受け付けるネットワーク入出力手段と、
ｅ）前記選択指示された分析条件ファイルについて、該ファイルが保存されている他の分析装置からネットワークを介して該ファイルを構成するデータを取得し、前記保存手段に複製する複製手段と、
を備えることを特徴とする分析システム。
【請求項３】
前記分析装置は、他の分析装置の構成を識別する構成識別手段を備え、前記情報統合手段は、該構成識別手段による識別結果に基づいて、当該分析装置と同一構成を有する他の分析装置内の分析条件ファイルを選択して、又は当該分析装置と同一構成を有する他の分析装置からの分析条件ファイルと構成が同一でない他の分析装置からの分析条件ファイルとを区別して、統合ファイル属性情報を作成することを特徴とする請求項１に記載の分析装置、又は請求項２に記載の分析システム。
【発明の詳細な説明】
【０００１】
【発明の属する技術分野】
本発明は、液体クロマトグラフ装置、質量分析装置等の分析装置、及び、こうした分析装置が複数台、ネットワークに接続されて成る分析システムに関する。
【０００２】
【従来の技術】
一般に分析装置では、分析に際して各種の分析条件を設定する必要がある。例えば液体クロマトグラフ装置（以下ＬＣと略す）では、分離カラムに流す移動相（溶離液）の流量（流速）、分離カラムを温調するカラムオーブンの温度プロファイル、検出器として紫外可視分光光度計を用いる場合にはその測定波長等、が分析条件に含まれるパラメータである。同一分析条件で分析を行う場合に、その度毎にオペレータ（分析担当者など）がこうした分析条件を一々設定するのは大変面倒である。そこで、従来の分析装置では、こうした分析条件はそれぞれ１つのファイル（以下、これを分析条件ファイルと呼ぶ）としてハードディスク駆動装置（ＨＤＤ）などの外部記憶装置に保存しておくことができるようになっている（例えば特許文献１など参照）。
【０００３】
近年、こうした分析装置を利用している施設や企業では、同じような構成の分析装置を複数台設置し並行して稼働させておくことが多くなっている。こうした場合、構成が同一である複数の分析装置において同一の分析条件ファイルを使用することができる。こうした多数台の分析装置を備える分析システムにおいて分析条件ファイルを共用する方法として一般的であるのは、各分析装置が備えるフレキシブルディスク駆動装置（ＦＤＤ）を利用し、フレキシブルディスク（ＦＤ）に分析条件ファイルを保存（セーブ）して他の分析装置のＦＤＤでそのデータを読み出すという方法である。
【０００４】
【特許文献１】
特開２０００−１１５３７号公報
【０００５】
【発明が解決しようとする課題】
しかしながら、上記従来のような方法では、分析条件ファイルが保存されているＦＤを他の分析装置の設置場所まで搬送し、そのＦＤをＦＤＤに装填してデータを読み込むといった面倒な手順を必要とする。そのため、分析装置が多数台存在して、しかもそれらの設置場所が離れている場合には、かなり面倒な作業である。
【０００６】
また、分析条件ファイルは原則として構成が同一である、即ちＬＣであればカラムや検出器が同一種類であるような分析装置に対してのみ適用可能であるため、他の分析装置で使用した分析条件ファイルをＦＤを介してせっかく読み込んでも、分析装置の構成が同一でないためにその分析条件ファイルを使用できないような場合もあり得る。そのため、実際には、ＦＤを介して他の分析装置で設定された様々な分析条件ファイルを読み込みつつ、使用できる分析条件ファイルを探すという煩雑な作業が伴う場合もある。
【０００７】
本発明はかかる課題を解決するために成されたものであり、その目的とするところは、複数の分析装置において分析条件ファイルの共用を容易にし、或る分析装置で使用された分析条件ファイルを他の分析装置で使用する際の操作性を大幅に向上させた分析装置及び分析システムを提供することにある。
【０００８】
【課題を解決するための手段】
上記課題を解決するために成された第１発明は、ネットワークを介して１乃至複数の他の分析装置と相互にデータ通信可能に接続された分析装置において、
ａ）当該分析装置で分析を遂行するための分析条件を情報として含む分析条件ファイルが保存される保存手段と、
ｂ）該保存手段に保存されている分析条件ファイルに関するファイル属性情報を取得するとともに、前記ネットワークを介して他の分析装置内に保存されている分析条件ファイルに関するファイル属性情報を収集する情報収集手段と、
ｃ）該情報収集手段により収集されたファイル属性情報を統合して所定形式で表示可能に構成する情報統合手段と、
ｄ）該情報統合手段により統合されたファイル属性情報を表示する表示手段と、
ｅ）該表示手段による表示に対応して指示された分析条件ファイルについて、該ファイルが保存されている他の分析装置から前記ネットワークを介して該ファイルを構成するデータを取得し、前記保存手段に複製する複製手段と、
を備えることを特徴としている。
【０００９】
また、上記課題を解決するために成された第２発明は、複数台の分析装置と少なくとも１台のクライアント端末とがそれぞれネットワークに接続された分析システムにおいて、
前記複数台の分析装置のうちの少なくとも１台の分析装置は、
ａ）当該分析装置で分析を遂行するための分析条件を情報として含む分析条件ファイルが保存される保存手段と、
ｂ）該保存手段に保存されている分析条件ファイルに関するファイル属性情報を取得するとともに、前記ネットワークを介して他の分析装置内に保存されている分析条件ファイルに関するファイル属性情報を収集する情報収集手段と、
ｃ）該情報収集手段により収集されたファイル属性情報を統合して前記クライアント端末の表示画面上に表示可能に構成する情報統合手段と、
ｄ）該情報統合手段により統合されたファイル属性情報を前記ネットワークを介して前記クライアント端末へと送信するとともに、該クライアント端末の表示画面上の表示に対応した分析条件ファイルの選択指示を受け付けるネットワーク入出力手段と、
ｅ）前記選択指示された分析条件ファイルについて、該ファイルが保存されている他の分析装置からネットワークを介して該ファイルを構成するデータを取得し、前記保存手段に複製する複製手段と、
を備えることを特徴としている。
【００１０】
【発明の実施の形態、及び効果】
第１発明に係る分析装置において、情報収集手段は保存手段に保存されている分析条件ファイルに関するファイル属性情報を収集するのみならず、ネットワークに接続されている他の分析装置内に同様の形式で保存されている分析条件ファイルに関するファイル属性情報を、そのネットワークを介した通信によって収集する。ここでいうファイル属性情報とは、分析条件を示す情報そのものではなく、当該ファイルを識別するため、或いは特定するために必要な、いわゆるプロパティに相当する情報である。各分析装置に保存されている分析条件ファイルに関するファイル属性情報は当該分析装置に集約され、その後、情報統合手段はこれらファイル属性情報を統合して所定形式、典型的には一覧表形式で表示できるように構成する。そして、表示手段はこうしたファイル属性情報の一覧表を画面上に表示する。
【００１１】
従って、オペレータは当該分析装置の設置場所に居ながら、他の分析装置に設定されている分析条件ファイルも確認することができる。そこで、例えば当該分析装置で使用したい分析条件ファイルが存在する場合には、その一覧表の中から所望の分析条件ファイルを選択指示する。すると、複製手段は、その選択指示された分析条件ファイルについて、ネットワークを介し該ファイルが保存されている他の分析装置にアクセスし、該ファイルを構成するデータを取得して上記保存手段に複製する。従って、それ以降は、その分析条件ファイルを使用して分析を行うことができる。
【００１２】
また、第２発明に係る分析システムでは、上述した分析装置と同様に、複数の分析装置からファイル属性情報を或る１台の分析装置に集約した後、それらファイル属性情報を統合して一覧表形式等で表示できるように構成する。そして、ネットワーク入出力手段により、その情報をネットワークを介してクライアント端末へと送信し、そのクライアント端末の表示画面上に表示させる。ここで言うクライアント端末はパーソナルコンピュータであって、分析装置で取得した分析データを解析処理する機能を持たせたり、或いはこうしたデータを蓄積するデータベースサーバの機能を持たせたりするように構成することができる。従って、この分析システムでは、オペレータはクライアント端末の設置場所に居ながら、全ての分析装置内のファイル属性情報を確認し、必要な分析条件ファイルを選択してその複製を作成することができる。
【００１３】
このように第１及び第２発明に係る分析装置及び分析システムによれば、従来のようにフレキシブルディスク等のリムーバブルメモリを利用して物理的に分析条件ファイルを搬送し、他の分析装置で読み込むという面倒な作業が不要になり、きわめて容易で簡便に、他の分析装置で設定された分析条件ファイルを使用することができる。
【００１４】
また、第１及び第２発明に係る分析装置及び分析システムでは、好ましくは、ネットワークに接続された分析装置は、他の分析装置の構成を識別する構成識別手段を備え、前記情報統合手段は、該構成識別手段による識別結果に基づいて、当該分析装置と同一構成を有する他の分析装置からの分析条件ファイルを選択して、又は当該分析装置と同一構成を有する他の分析装置からの分析条件ファイルと構成が同一でない他の分析装置からの分析条件ファイルとを区別して、統合ファイル属性情報を作成する構成とするとよい。
【００１５】
この構成によれば、オペレータは、使用しようとしている分析装置と同一構成を有する他の分析装置で設定された分析条件ファイルの中から所望のファイルを選択することができるので、オペレータ自身が分析装置の構成の同一性を確認する必要がなく、作業効率が向上する。また、誤って構成が同一でない他の分析装置で設定された分析条件ファイルの複製を作成してしまうといったミスも防止でき、不適切な分析条件の下での無意味な分析を行うこともなくなる。
【００１６】
【実施例】
以下、本発明に係る分析装置として液体クロマトグラフ（ＬＣ）装置を例に挙げて説明する。
【００１７】
図１は本実施例によるＬＣ装置２０１を含む分析システム全体の構成図の一例である。この実施例の分析システムでは、イントラネット等のネットワーク３００に、４台のＬＣ装置２０１〜２０４と、１台のパソコン１００とが接続されている。４台のＬＣ装置２０１〜２０４は同じ構成を有しているため、図１ではそのうちの１台のみの内部構成を記載している。
【００１８】
ＬＣ装置２０１は、分析を実行するユニットとして、溶離液をカラムに送る送液ポンプ２、試料成分の分離を行うカラムを内装するカラムオーブン４、送液ポンプ２によりカラムに送られる溶離液中に試料液を注入するオートサンプラ３、及びカラムから溶出した試料成分を順次検出する検出器５を備えており、後述するように設定された分析条件に従ってこれら各部の動作を統括的に制御したり、或いは検出器５による検出信号を収集したりするコントローラ１が設けられている。
【００１９】
パソコン１００には所定の制御・処理プログラムがインストールされており、この制御・処理プログラムを実行することによって、各ＬＣ装置２０１〜２０４で収集されたデータに対し適宜の演算処理を行うことができるようになっている。但し、こうしたデータ処理は、汎用のパソコンではなく、専用のデータ処理装置（例えば島津製作所製のクロマトパックなど）によって行うようにしてもよい。
【００２０】
図２は、図１中の１つのＬＣ装置２０１におけるコントローラ１の主要な機能を、より詳細に示した構成図である。
【００２１】
コントローラ１は、機能的に、ネットワーク３００に接続され該ネットワーク３００を介したデータの送受信を行うネットワークインタフェース（Ｉ／Ｆ）１０と、ネットワーク３００を介して外部に提供するＷｅｂコンテンツを作成するとともに、Ｗｅｂ上での外部からの要求を解読して各部に伝達するＷｅｂサーバ１１と、当該ＬＣ装置２０１に含まれる送液ポンプ２、オートサンプラ３、カラムオーブン４及び検出器５の動作をそれぞれ制御する制御信号を装置内通信インタフェース１３を介して送出する装置制御部１２と、操作キーを含みコントローラ１における各種の操作を指示するための操作部１９と、文字及びグラフィックを表示する表示部１８と、を備える。ここでは、ネットワークＩ／Ｆ１０及びＷｅｂサーバ１１が上記ネットワーク入出力手段に相当する。
【００２２】
更にコントローラ１は、本実施例に特徴的な構成要素として、このＬＣ装置２０１に対してオペレータにより設定されたり後述するように他のＬＣ装置２０２〜２０４からコピーしてきた分析条件をファイル形式で保存しておくための分析条件ファイル保存部１６（保存手段）と、その分析条件ファイル保存部１６への分析条件ファイルの書き込み及び読み出しを制御するとともに、そこに保存されている分析条件ファイルに関する情報を収集する個別分析条件ファイル情報管理部１５（複製手段）と、分析条件ファイル保存部１６に保存されている個別分析条件ファイルに関するファイル属性情報を個別分析条件ファイル情報管理部１５を介して収集するとともに、ネットワーク３００を介して他のＬＣ装置２０２〜２０４（実際にはその装置内のコントローラ１）を検索して、それらが保有する個別分析条件ファイルに関するファイル属性情報を収集し、それらを統合して全体分析条件ファイル情報として保持する全体分析条件ファイル情報収集部１４（情報収集手段）と、この全体分析条件ファイル情報収集部１４に保持されている全体ファイル属性情報について、当該ＬＣ装置２０１と同一構成を有するＬＣ装置における情報であるか否かを区別して表示するためのデータを作成する表示データ作成部１７（情報統合手段）と、を備える。
【００２３】
ネットワーク３００を介してコントローラ１と接続されるパソコン１００（クライアント端末）には、例えばマイクロソフト社が提供するインターネット・エクスプローラなどのブラウザが搭載されており、このブラウザがコントローラ１のＷｅｂサーバ１１からプログラム又はデータ等のＷｅｂコンテンツを受け取って解析し、必要な処理を実行することによって、文字やグラフィックなどを含む所定の画面がパソコン１００のディスプレイ（表示部）上に形成される。
【００２４】
上記分析システムでは、各ＬＣ装置２０１〜２０４で個別にそれぞれ分析条件を設定してその分析条件に従った分析を実行することができる。こうして各ＬＣ装置２０１〜２０４でそれぞれ設定された分析条件は１つの分析条件ファイルとして、個別分析条件ファイル情報管理部１５を介して分析条件ファイル保存部１６に格納される。また、パソコン１００上での各種キー操作やマウス操作によってそれぞれのＬＣ装置２０１〜２０４で分析を行う際の分析条件を設定し、その情報をネットワーク３００を介して各ＬＣ装置２０１〜２０４のコントローラ１へ送って分析を指示するようにすることもできる。その場合でも、パソコン１００から送られた分析条件は１つの分析条件ファイルとして分析条件ファイル保存部１６に格納される。
【００２５】
また、パソコン１００上での操作により各ＬＣ装置２０１〜２０４の分析動作を管理することもできる。即ち、各ＬＣ装置２０１〜２０４に対してそれぞれ分析条件や順序を記述したスケジュール表をパソコン１００で作成すると、ネットワーク３００を介してこのスケジュール表自体又はスケジュール表に従った制御信号が各ＬＣ装置２０１〜２０４のコントローラ１へと送られる。コントローラ１の装置制御部１２は、スケジュール表の内容に従ってオートサンプラ３により順番に検体を採取して分析を実行する。
【００２６】
分析実行時には、コントローラ１による制御の下で、送液ポンプ２の動作により溶離液槽から溶離液を吸引し、一定流量でカラムへと供給する。オートサンプラ３は予め複数装填された検体を所定の順序で選択し、選択された検体による試料は所定のタイミングで溶離液中に注入される。この試料は溶離液に乗ってカラムへと導入され、カラムオーブン４により適度な温度に制御されているカラムを通過する間に試料中の各成分が時間的に分離される。検出器５はカラムから溶出する試料成分を時間の経過に伴って順次検出し、その検出信号はＡ／Ｄ変換器でデジタル信号に変換された後に、コントローラ１へと渡される。コントローラ１は、分析によって取得されたデータを収集してパソコン１００へと送る。
【００２７】
上述したように、分析を実行する際に必須である分析条件は各ＬＣ装置２０１〜２０４のコントローラ１の分析条件ファイル保存部１６に格納されているが、ＬＣ装置２０１〜２０４の構成が同一である場合には、他のＬＣ装置で設定された分析条件ファイルを利用した分析も可能である。ここで言う、構成が同一であるというのは、例えばカラム、検出器など、交換可能なユニットの種類が同じであって、分析条件を同一にすることが意味のある場合のことである。
【００２８】
次に、本実施例の分析システムにおける特徴的な処理である、分析条件ファイルの共有化に関する動作について図３のフローチャートを参照しつつ説明する。
【００２９】
いまオペレータはパソコン１００の操作を行いながら、ＬＣ装置２０１で分析を行うのに適切な分析条件を探そうとしているものとする。また、ＬＣ装置２０２、２０３の２台はＬＣ装置２０１と同一構成であるが、ＬＣ装置２０４のみ構成が相違しているものとする。
【００３０】
オペレータはパソコン１００に搭載されているブラウザを用いて、全体分析条件ファイル情報の表示を指示する。この指示はパソコン１００からネットワーク３００を介してＬＣ装置２０１のコントローラ１へと送信される。コントローラ１において全体分析条件ファイル情報収集部１４は、ブラウザからの要求を常に監視し（ステップＳ１）、ブラウザから要求があると、ネットワーク３００に接続されている他のＬＣ装置２０１〜２０４のコントローラ１の有無を検出する（ステップＳ２）。例えば、物理的にはネットワーク３００に接続されていても、電源が投入されていない等の理由によって稼働不可能なＬＣ装置は、この段階で無視されることになる。
【００３１】
そして、全体分析条件ファイル情報収集部１４は、接続を確認したコントローラ１に対して、それらＬＣ装置２０２〜２０４における個別分析条件ファイルのファイル属性情報の送信を要求する。また同時に、全体分析条件ファイル情報収集部１４は、個別分析条件ファイル情報管理部１５に対しても分析条件ファイル保存部１６に保存されている個別分析条件ファイルについてのファイル属性情報を要求する。
【００３２】
こうして全体分析条件ファイル情報収集部１４は、当該コントローラ１の個別分析条件ファイル情報管理部１５から収集したファイル属性情報と、他の３台のＬＣ装置２０２〜２０４のコントローラ１から収集したファイル属性情報とを統合して全体ファイル属性情報を作成する（ステップＳ４）。ここで、ファイル属性情報とは、分析条件ファイルを特定するための情報であり、例えばファイル名、作成日時、作成者名等を含むほか、場合によっては簡単なコメント文を添付できるようにしておいてもよい。
【００３３】
なお、上述したように個別分析条件ファイルの属性情報を収集する際に同時に、それぞれのＬＣ装置２０２〜２０４の構成を識別するための管理情報（どのような種類のカラム、検出器が接続されているのか等を示す情報）を取得する。
【００３４】
表示データ作成部１７は、上記構成識別用の管理情報を参照して、全体ファイル属性情報の中で当該ＬＣ装置２０１と同一の構成を有しているＬＣ装置から得られたものであるか否かを区別した上で、表示データとして例えば上記ファイル属性情報の一覧リストを作成する（ステップＳ５）。Ｗｅｂサーバ１１はこの表示データを受け取り、必要に応じてＷｅｂページ上に掲載可能な形式に変換した上で、ネットワークインタフェース１０を介しパソコン１００にその表示データを送信する（ステップＳ６）。パソコン１００にあってはブラウザがこのデータを処理し、表示画面内にそのファイル属性情報のリストを表示する。
【００３５】
図４はパソコン１００のディスプレイの画面上に表示されるファイル属性情報リストの一例を示す図である。この例では、分析条件ファイルに関して、ファイル名、ファイル作成日時、作成者、ＬＣ装置の構成の同一（〇印）・非同一（×印）の識別、コメントなどが一覧表２０の中に集約されている。
【００３６】
オペレータはディスプレイの画面上で図４に示したようなリストを見て、例えば、適当と思われる分析条件ファイルが有る場合には、そのファイルのコピーの指示操作を行う。例えば図４の例では、各ファイルに対して設けられているチェックボックス２１にチェック印を入れて、図示しないコピー開始ボタンをクリック操作することにより、ファイルの指示とコピー開始指示とを行うことができる。
【００３７】
いま例えば指示された分析条件ファイルがＬＣ装置２０３に有るものとする。その場合、上記コピー開始の指示を受けると（ステップＳ７「Ｙｅｓ」）、個別分析条件ファイル情報管理部１５は、ネットワーク３００を介して指定された分析条件ファイルが格納されているＬＣ装置２０３のコントローラ１にアクセスし、そのコントローラ１内の分析条件ファイル保存部１６に格納されている分析条件ファイルを読み出してきて、自らのＬＣ装置２０１の分析条件ファイル保存部１６にコピーする（ステップＳ８）。こうしてコピーされた分析条件ファイルは、そのＬＣ装置２０１で設定された分析条件ファイルと全く同様に使用することができる。
【００３８】
上記実施例では、ＬＣ装置２０２〜２０４はＬＣ装置２０１と同様の機能を有するため、いずれのＬＣ装置２０１〜２０４においても上記と同様の処理を行わせることができる。但し、構成の相違するＬＣ装置２０４で設定されている分析条件ファイルは、通常、そのままＬＣ装置２０１で使用することはできない。従って、構成が相違するＬＣ装置２０４に保存されている分析条件ファイルは全体ファイル属性情報リストから落とすか、或いは、該リストに掲載する場合でも誤ってコピーすることを防止するためコピー実行の確認を強化するか、しておくことが望ましい。図４の例では、構成が同一でないＬＣ装置２０４に保存されている分析条件ファイルに対しては、チェックボックス２１自体が表示されず、コピーの選択が行えないようにしている。
【００３９】
上記実施例のような分析システムでは、構成が同一でありさえすればいずれのＬＣ装置で設定された分析条件ファイルをも共用化できるようにするのが基本ではあるが、例えば分析条件の設定内容自体がノウハウ的なものであって秘密性を持たせたい場合、分析条件ファイル毎にネットワーク３００上でオープンとするか或いは他のＬＣ装置での使用を制限するかを選択できるようにしてもよい。即ち、分析条件ファイルを保存する際、或いは保存した後に追加的に、他のＬＣ装置やパソコンからは見えないような一種の隠しファイル形式としたり、或いは実際にファイル内容を見るためにパスワードの入力を要求するような管理を行ってもよい。このようにすれば、その分析装置がネットワークに接続されている場合でも、高いセキュリティ性を確保することができる。
【００４０】
なお、上記実施例は本発明の一例にすぎず、本発明の趣旨の範囲で適宜変形や追加を行っても本願発明の請求の範囲に包含されることは明らかである。具体的には、ネットワークに接続される分析装置やパソコンの台数や種類などは上記記載に限定するものではない。
【図面の簡単な説明】
【図１】本実施例によるＬＣ装置を含む分析システム全体の構成図。
【図２】図１中の１つのＬＣ装置におけるコントローラの主要な機能を詳細に示した構成図。
【図３】本分析システムにおける分析条件ファイルの共有化に関する動作を示すフローチャート。
【図４】本分析システムにおいて全体分析条件ファイル情報リストの一例を示す図。
【符号の説明】
１００…パソコン
２０１〜２０４…ＬＣ装置
３００…ネットワーク
１…コントローラ
１０…ネットワークインタフェース（Ｉ／Ｆ）
１１…Ｗｅｂサーバ
１２…装置制御部
１３…装置内通信インタフェース（Ｉ／Ｆ）
１４…全体分析条件ファイル情報収集部
１５…個別分析条件ファイル情報管理部
１６…分析条件ファイル保存部
１７…表示データ作成部
１８…表示部
１９…操作部
２０…一覧表
２１…チェックボックス
【図１】
2004271283.tif 000003
【図２】
2004271283.tif 000004
【図３】
2004271283.tif 000005
【図４】
2004271283.tif 000006